(57)【要約】【課題】掘り起こしたアスファルト廃材１から、該アスファルト廃材に付着混入する大小異物を効率よく除去処理する方法を提供する。【解決手段】掘り起こしたアスファルト廃材１を、コンクリート側溝等の硬い大物異物Ｘが混ざったままの状態で篩い分け処理をすることで、大型異物Ｘが土石等の小物異物をアスファルト廃材１から引き剥がすための歯として機能させて小型異物を除去し、しかる後、大物異物Ｘを選別処理するようにして効率の良いアスファルト廃材の異物除去処理ができるようにした。【選択図】        図４
2004313975.tif 000002
【特許請求の範囲】
【請求項１】
舗装面から掘り起こされたアスファルト廃材を、該アスファルト廃材よりも硬い異物の存在下で篩い装置で篩って小物を篩い落とし除去した後、該篩い装置から篩い落ちなかった異物をアスファルト廃材から選別除去するようにしたことを特徴とするアスファルト廃材の処理方法。
【請求項２】
請求項１において、硬い異物は、アスファルト廃材と共に掘り起こされたコンクリート等の異物であることを特徴とするアスファルト廃材の処理方法。
【請求項３】
請求項１において、異物の選別除去工程には、アスファルト廃材に付着する異物を分断する工程を含むものであることを特徴とするアスファルト廃材の処理方法。
【請求項４】
請求項１または３において、異物の選別除去工程には、アスファルト廃材を細分化する工程を含むものであることを特徴とするアスファルト廃材の処理方法。
【請求項５】
請求項４において、細分化処理されたアスファルト廃材は、さらなる細分化処理を受けてチップ状に細分されることを特徴とするアスファルト廃材の処理方法。
【発明の詳細な説明】
【０００１】
【発明の属する技術分野】
本発明は、道路工事等により舗装面から掘り起こされたアスファルト廃材の処理方法の技術分野に属するものである。
【０００２】
【従来技術】
一般に、道路工事等をする際に、既設のアスファルト舗装面を掘り起こして工事することがあり、このような場合、アスファルトが廃材となって発生する。このようなアスファルト廃材は、環境破壊の観点から投棄が厳しく規制されており、そこでアスファルト廃材を回収し、再生しようとすることが試みられている。ところで道路等の舗装面から掘り起こされたままのアスファルト廃材には、土石からなる路盤材等の小物と共に側溝等の大物が付着する等して異物として混入していることが多く、このような大小の異物が混入しているアスファルト廃材をそのままアスファルト合材の原料として用いることはできず、大小の異物を除去する必要がある。
そこで従来、このような異物の除去には、掘り起こしたアスファルト廃材から大物の異物を分断する等して選別除去した後、アスファルト廃材を小物異物と共に小物に細分化し、該細分化したアスファルト廃材に洗浄水を注水して異物を除去する技術（例えば、特許文献１参照。）や、アスファルト廃材を細分化した後、これを篩い分けして異物と分別する技術（例えば、特許文献２参照。）が知られている。
【０００３】
【特許文献１】
特開平６−１０３１１号公報
【特許文献２】
特開平６−２３３２２号公報
【０００４】
【発明が解決しようとする課題】
ところが前記従来のものは、何れも細分化したアスファルト廃材に混在する異物ついて洗浄により除去したり篩い分けにより選別除去したりするものであるため、選別を受けるアスファルト廃材自体も異物と共に小物となっており、このためアスファルト廃材と異物との選別が事実上難しいものとなって効率の良い選別ができないという問題があり、ここに本発明の解決すべき課題がある。
【０００５】
【課題を解決するための手段】
本発明は、上記の如き実情に鑑みこれらの課題を解決することを目的として創作されたものであって、請求項１の発明は、舗装面から掘り起こされたアスファルト廃材を、該アスファルト廃材よりも硬い異物の存在下で篩い装置で篩って小物を篩い落とし除去した後、該篩い装置から篩い落ちなかった異物をアスファルト廃材から選別除去するようにしたことを特徴とするアスファルト廃材の処理方法である。そしてこのようにすることで、篩い落とし工程において、アスファルト廃材に混入する硬い異物がアスファルト廃材の表面に付着する路盤構成材等の小物を削ぎ落とす等の積極的な離脱促進機能を発揮することになって、小物を効率よく篩い落とし除去することができ、その後、篩い装置から落ちなかった異物を選別除去することで、大小異物がよく除去されたアスファルト廃材を得ることができ、アスファルト合材としての再生が果たせることになる。
請求項２の発明は、請求項１において、硬い異物は、アスファルト廃材と共に掘り起こされたコンクリート等の異物であることを特徴とするアスファルト廃材の処理方法であり、このようにしたときには、アスファルト廃材と共に掘り起こされたコンクリート等の硬い異物をそのまま有効に利用して小物の積極的な除去ができることになる。
請求項３の発明は、請求項１において、異物の選別除去工程には、アスファルト廃材に付着する異物を分断する工程を含むものであることを特徴とするアスファルト廃材の処理方法であり、このようにしたときには、アスファルト廃材に付着する硬い異物の分断が、異物の選別除去に合わせてでき、作業性が向上する。
請求項４の発明は、請求項１または３において、異物の選別除去工程には、アスファルト廃材を細分化する工程を含むものであることを特徴とするアスファルト廃材の処理方法であり、このようにしたときには、異物の除去工程に合わせてアスファルト廃材の細分化ができ、作業性の向上が計れる。。
請求項５の発明は、請求項４において、細分化処理されたアスファルト廃材は、さらなる細分化処理を受けてチップ状に細分されることを特徴とするアスファルト廃材の処理方法であり、このようにしたときには、異物が除去されたアスファルト廃材をチップ状にできて再利用するうえでの便になる。
【０００６】
【発明の実施の形態】
次ぎに、本発明の実施の形態について、図面に基づいて説明する。図中、１はリッパが装着されたモーダグレーダやトラクタ等の建設機械によって掘り起こされたアスファルト廃材であって、該掘り起こされたアスファルト廃材１は殆どが数十センチから１メートルにも及ぶ大きな塊となっているが、アスファルト廃材１には、アスファルト層の下地層となる路盤を形成する際に用いた土石等の小物異物と共に、コンクリート側溝やコンクリートブロック等のアスファルト廃材１よりも硬い大物の異物Ｘが付着混入している。
【０００７】
２は篩い装置であって、該篩い装置２は、油圧ショベル３のアーム４の先端にアタッチメントとして取り付けられるもので、アーム４の先端に取付けられる枠体５に、篩い網６が設けられた可動枠７を前後方向移動自在に設けたもので、枠体５に設けた駆動機構（本実施の形態ではクランク式の駆動機構を採用）の駆動によって可動枠７を前後移動させることで内容物の篩い分け処理を行うようになっている。因みに、路盤形成材料である土石は、通常０（泥土）〜４ｃｍ程度の大きさであり、この大きさのものを篩い落とせるよう篩い網６の網目の大きさが設定されている。
【０００８】
一方、８は分断装置であって、該分断装置８も前記アーム４の先端部にアタッチメントとして取り付けられるものであって、本実施の形態では、一対の刃体９を備えた油圧式の圧砕機を採用している。そしてアスファルト廃材１を前記刃体９により任意の大きさに裁断（分断）すると共に、篩い装置２から篩い落ちなかったアスファルト廃材に付着する異物Ｘとアスファルト廃材とを挟み切って分断できるようになっている。因みに分断された異物Ｘは、刃体９で挟んで除去することができる。
【０００９】
また、１０は細分化装置であって、該細分化装置１０も前記アーム４の先端部にアタッチメントとして取り付けられるものであって、本実施の形態では、底面が篩い状に開口１２したバケット１１と、該バケット１１に設けられる油圧モータ（図示しない）により回転する細分歯１３によりアスファルト廃材１をさらに細分化してチップ状にし、該チップ状になったアスファルト廃材を底面開口１２から排出するようになっている。
【００１０】
次に、前記各装置２、８、１０を用いて前記掘り起こしたアスファルト廃材の処理方法について説明する。まず掘り起こしたアスファルト廃材１を篩い装置２に投入して篩い分けをする。この篩い分け工程においては、アスファルト廃材には大小の異物が付着混入しているが、該異物の中にはコンクリート側溝やコンクリートブロック等の硬い大物の異物Ｘが含まれており、この硬い異物Ｘが篩い作動に伴いアスファルト廃材１の表面を擦ったり当ったりすることで、路盤の形成材である土石等の小物異物をアスファルト廃材の表面から削ぎ落とす等の積極的な離脱促進機能を発揮してアスファルト廃材１に付着する土石等の小物異物を離脱させ、該離脱した小物異物を篩い装置２から篩い落とし除去する。
【００１１】
次に、前記小物異物が除去されたアスファルト廃材１には、コンクリート側溝等の異物Ｘが付着する等して含まれているが、この付着する硬い異物Ｘについては、分断装置８で付着境界面を分断（切断、裁断）すればよく、そしてアスファルト廃材１に混入する該硬い異物Ｘをアスファルト廃材１から選別することで簡単に除去でき、しかも前記分断にあわせて、アスファルト廃材１についても、次の細分化装置１０に投入してチップ状に細分化できる大きさ（例えば３０ｃｍくらいの大きさ）に分断する。
【００１２】
さらに前記分断されたアスファルト廃材１を、粉砕装置１０に投入して細かく細分化（例えば３〜５ｃｍ程度の大きさ）してチップ状にし、これをアスファルト合材製造用の原料として再利用できるようになっている。
【００１３】
叙述の如く構成されたものにおいて、舗装面から掘り起こしたアスファルト廃材は、大小異物を混入するものであるが、アスファルト廃材を処理するにあたり、硬い異物Ｘを除去する前に、該硬い異物Ｘが存在する状態でアスファルト廃材を篩い分けすることで、硬い異物Ｘがアスファルト廃材に付着する小物異物を削ぎ落とす等の離脱促進機能を積極的に発揮することになって、効率のよい小物異物の離脱除去ができ、しかる後、篩い装置２から落ちなかった硬い異物Ｘを選別除去すれば、大小の異物が効率よく除去されたアスファルト廃材を得ることができ、アスファルト廃材の処理作業が高効率化する。そしてこの場合に、硬い異物Ｘは、アスファルト廃材１と共に掘り起こされたコンクリート側溝やコンクリートブロック等の硬いものをそのまま用いることができるから、これらの有効利用を図ることができ都合が良い。
【００１４】
しかもこのものでは、篩い落とし処理の工程で小物異物が除去されたアスファルト廃材について、篩い落とされなかった異物Ｘを選別除去する工程で、アスファルト廃材に付着する硬い異物Ｘの分断作業が合わせて行われるので、作業性が向上するが、さらにアスファルト廃材の細分化も合わせて行われるため、作業能率がさらに向上する。そのうえ該細分化されたアスファルト廃材は、さらに細分化されてチップ状になるため、アスファルト合材を製造するための作業も効率化される。
【００１５】
なお、本発明を実施するにあたり、アスファルト廃材に付着する小物異物を積極的に離脱させて篩い落とすために必要な硬い異物は、一般にはアスファルト廃材に付着するコンクリート側溝やコンクリートブロック等の硬い異物の存在で充分であるが、広場や幅広道路等の広い舗装面を掘り起こした場合のように、硬い異物の混入が無いか足りないような場合には、別途硬い異物を追加混入するようにしても勿論良い。
【図面の簡単な説明】
【図１】油圧ショベルに篩い分け装置を取付けた状態を示す側面図である。
【図２】分断装置の斜視図である。
【図３】細分化装置の斜視図である。
【図４】アスファルト廃材の処理工程を示す概略工程図である。
【符号の説明】
１    アスファルト廃材
２    篩い装置
８    分断装置
１０    細分化装置
Ｘ    硬い異物
【図１】
2004313975.tif 000003
【図２】
2004313975.tif 000004
【図３】
2004313975.tif 000005
【図４】
2004313975.tif 000006